(57)【要約】【課題】不正行為を確実に防止しながらも、メンテナンスの際に容易に被覆部材を取り外せることができるようにする。【解決手段】遊技機１の内部に設けられる基板に信号線接続用の基板側接続端子２１が設けられ、この基板側接続端子２１に信号線側接続端子３２を介して信号線２２が接続され、基板側接続端子２１から信号線側接続端子３２が外れないように基板側接続端子２１と信号線側接続端子３２との接続部分３８を覆う被覆部材４０が設けられ、被覆部材４０には、この被覆部材４０が基板側接続端子２１と信号線側接続端子３２との接続部分３８から取り外されるときに破断される破断部が設けられている。【選択図】  図３
2008173325.tif 000002
【特許請求の範囲】
【請求項１】
遊技機の内部に設けられる基板に信号線接続用の基板側接続端子が設けられ、この基板側接続端子に信号線側接続端子を介して信号線が接続され、基板側接続端子から信号線側接続端子が外れないようにこの基板側接続端子と信号線側接続端子との接続部分を覆う被覆部材が設けられ、被覆部材には、この被覆部材を基板側接続端子と信号線側接続端子との接続部分から取り外可能とすべく破断される破断部が設けられていることを特徴とする遊技機の接続端子固定構造。
【請求項２】
内部に設けられる基板に信号線接続用の基板側接続端子が設けられ、この基板側接続端子に信号線側接続端子を介して信号線が接続され、基板側接続端子から信号線側接続端子が外れないようにこの基板側接続端子と信号線側接続端子との接続部分を覆う被覆部材が設けられ、被覆部材には、この被覆部材を基板側接続端子と信号線側接続端子との接続部分から取り外可能とすべく破断される破断部が設けられていることを特徴とする遊技機。
【請求項３】
前記被覆部材は、基板側接続端子と信号線側接続端子との接続部分を挟むようにして互いに結合される第１被覆部材と第２被覆部材とを備え、第１被覆部材と第２被覆部材は、基板側接続端子と信号線側接続端子との接続方向と交差する方向で互いに結合されるように構成されていることを特徴とする請求項２に記載の遊技機。
【請求項４】
前記基板側接続端子には、この基板側接続端子に接続された信号線側接続端子をロックするロック部材が設けられ、被覆部材には、このロック部材に係止される係止部が設けられており、被覆部材は、前記破断部が破断されたときに係止部がロック部材から離れて取り外し可能になるように構成されていることを特徴とする請求項２または３に記載の遊技機。
【発明の詳細な説明】
【技術分野】
【０００１】
本発明は、遊技機の制御基板の基板側接続端子に所定の信号を入力するため信号線が信号線側接続端子を介して接続された状態で、信号線側接続端子が基板側接続端子から取り外されないようにする、遊技機の接続端子固定構造およびこの接続端子固定構造を備えた遊技機に関する。
【背景技術】
【０００２】
パチンコ機やスロットマシン等の遊技機では、例えば、遊技の進行を制御する制御基板の基板側接続端子に接続された信号線側接続端子が取り外され、他の信号線が接続されて、制御基板に偽りの信号が入力され、不正に賞球やメダルの払い戻しを受ける行為が行われる場合がある。具体的には、制御基板は、周辺装置からの入力信号をうけて、遊技の進行に関する指令信号を周辺装置に向けて発生する機能を有している。このため、周辺装置からの信号を擬似的に発生させる基板等を接続端子を介して接続し、特定の状態が発生したことを制御基板に錯覚させることによって、メダル等の遊技媒体の払出を不正に受けたり、あるいは遊技媒体の払出を高確率で受けられる有利な状態を不正に創出することが行われる。
【０００３】
このような不正行為を防止するには、元々接続される正規の信号線の信号線側接続端子が基板側接続端子から引き抜かれることを防止するために、基板側接続端子に接続された信号線の信号線側接続端子が容易に抜け外れないようにする必要がある。
【０００４】
従来、そのための接続端子固定構造として、たとえば、基板側接続端子と信号線側接続端子との接続部分に被覆部材（コネクタカバー）を取り付けて、この被覆部材を破壊しない限り、基板側接続端子から信号線側接続端子が抜け外れないようにしたものがある（例えば特許文献１参照）。
【特許文献１】特開２００６−３４７８４号公報
【発明の開示】
【発明が解決しようとする課題】
【０００５】
従来の接続端子固定構造においては、例えば、メンテナンス時に接続端子同士の接続状態を解除する必要が生じた場合、この解除のために被覆部材を取り除くには、被覆部材を破壊する必要がある。このような場合、上記した特許文献１のような従来の接続端子固定構造においては、その全体を切断等などの方法で破壊しなければ被覆部材を外すことができず、この行為には時間がかかり、また作業中に基板の周辺等を破損してしまうおそれがあった。
【０００６】
本発明は、上記事情に鑑みてなされたものであり、通常時には接続端子の接続状態が容易に解除されないようにすることで不正行為を確実に防止しながらも、メンテナンス等で接続端子の接続状態を解除する必要が生じた際には、被覆部材を容易に破壊できるようにし、メンテナンス時の作業性を格段に高めた遊技機の接続端子固定構造および遊技機を提供することを課題とする。
【課題を解決するための手段】
【０００７】
本発明に係る遊技機の接続端子固定構造は、上記の課題を解決するものであって、遊技機の内部に設けられる基板に信号線接続用の基板側接続端子が設けられ、この基板側接続端子に信号線側接続端子を介して信号線が接続され、基板側接続端子から信号線側接続端子が外れないようにこの基板側接続端子と信号線側接続端子との接続部分を覆う被覆部材が設けられ、被覆部材には、この被覆部材を基板側接続端子と信号線側接続端子との接続部分から取り外可能とすべく破断される破断部が設けられていることを特徴とする。
【０００８】
かかる構成によれば、被覆部材に破断部が設けられているので、メンテナンス時等に破断部を切断工具等によって破断することにより、被覆部材を容易に取り外すことができるようになる。しかも、被覆部材が基板側接続端子と信号線側接続端子との接続部分を被覆している通常の状態においては、信号線が接続端子から不正に取り外されることを防止できる。
【０００９】
本発明に係る遊技機は、上記の課題を解決するものであって、内部に設けられる基板に信号線接続用の基板側接続端子が設けられ、この基板側接続端子に信号線側接続端子を介して信号線が接続され、基板側接続端子から信号線側接続端子が外れないようにこの基板側接続端子と信号線側接続端子との接続部分を覆う被覆部材が設けられ、被覆部材には、この被覆部材を基板側接続端子と信号線側接続端子との接続部分から取り外可能とすべく破断される破断部が設けられていることを特徴とする。
【００１０】
かかる構成によれば、被覆部材に破断部が設けられているので、メンテナンス時等に破断部を切断工具等によって破断することにより、被覆部材を容易に取り外すことができるようになる。しかも、被覆部材が基板側接続端子と信号線側接続端子との接続部分を被覆している際には、信号線側接続端子が基板側接続端子から不正に取り外されることを防止できる。
【００１１】
また、本発明に係る遊技機は、前記被覆部材は、基板側接続端子と信号線側接続端子との接続部分を挟むようにして互いに結合される第１被覆部材と第２被覆部材とを備え、第１被覆部材と第２被覆部材は、基板側接続端子と信号線側接続端子との接続方向と交差する方向で互いに結合されるように構成されていることを特徴とする。
【００１２】
かかる構成によれば、第１被覆部材と第２被覆部材とを、接続端子と信号線との接続方向と交差する方向で結合することによって、被覆部材を接続端子と信号線との接続部分に取り付ける際に、信号線が邪魔になることがなく、取り付け作業を容易に行うことができるようになる。また、接続部分に対する被覆部材の垂直方向（基板側接続端子と信号線側接続端子との接続方向）の位置決めを確実に行うことができ、被覆部材の取り付け状態が不十分となって不測に抜け落ちる状態となることを防止できる。
【００１３】
また、本発明に係る遊技機は、前記基板側接続端子には、この基板側接続端子に接続された信号線側接続端子をロックするロック部材が設けられ、被覆部材には、このロック部材に係止される係止部が設けられており、被覆部材は、前記破断部が破断されたときに係止部がロック部材から離れて取り外し可能になるように構成されていることを特徴とする。
【００１４】
かかる構成によれば、被覆部材は、基板側接続端子と信号線側接続端子との接続部分に取り付けられたときには、その係止部が基板側接続端子のロック部材に係止されて、確実に固定され、抜け止めされる。さらに、破断部が破断されたときには、ロック部材と係止部の係止が解除されて被覆部材を取り外すことができるようになる。
【発明の効果】
【００１５】
本発明によれば、不正行為を確実に防止しながらも、メンテナンスの際に容易に被覆部材を取り外せることができる。
【発明を実施するための最良の形態】
【００１６】
以下、本発明の実施の形態について図面を参照しながら説明する。
【００１７】
図１〜図８は、本発明に係る遊技機の接続端子固定構造およびこの接続端子固定構造を備えた遊技機の第１実施形態を示している。図１、図２は、本発明に係る遊技機１の例としてスロットマシンを示している。
【００１８】
この遊技機１は、筺体２と、この筺体２に開閉自在に取り付けられた前扉３を有する。
【００１９】
図１に示すように、前扉３の表側の上部には、筺体２の内側に設けられた３個のリール５ａ、５ｂ、５ｃを表示するための表示部６が設けられている。前扉３の表側の中央部には、リール５ａ、５ｂ、５ｃを始動させるレバー８、リール５ａ、５ｂ、５ｃを停止させる停止スイッチ９、電子データ形式で貯留されたクレジットメダルからゲームへの賭けメダルを設定するためのベットスイッチ１０、クレジットメダルを精算するための精算スイッチ１１、メダル投入口１４等が設けられている。前扉３の表側の下部には、メダル払出口１２や払い出されたメダルを受けるメダル受け皿１３が設けられている。
【００２０】
図２、図３に示すように、筺体２の内側には、ホッパ１５を有するメダル払出装置１６、３個のリール５ａ、５ｂ、５ｃを駆動するリールユニット５、電源ユニット１７等が設けられている。
【００２１】
遊技機１の内部には、複数の基板が設けられており、各基板は信号線２２によって相互に接続されて信号の送信または受信がなされるように構成されている。
【００２２】
基板には、例えば、遊技の進行を制御する主制御基板１８やこの主制御基板１８に信号を送信するための扉中継基板２３等がある。
【００２３】
図２に示すように、主制御基板１８は、リールユニット５の上方に設けられている。この主制御基板１８は、ＲＯＭ、信号線接続用の基板側接続端子２１（基板側コネクタ）等を備えている。
【００２４】
主制御基板１８には、レバー８、停止スイッチ９、ベットスイッチ１０等の操作による信号が入力される。これらの信号は、前扉３の裏側に設けられた扉中継基板２３を介して主制御基板１８に送信される。主制御基板１８は、これらの信号を取り込みながら、リールユニット５、メダル払出装置１６等を制御して、遊技の進行を制御するようになっている。
【００２５】
この遊技機１は、遊技者が所定の枚数のメダルを賭け、レバー８を操作してリール５ａ、５ｂ、５ｃを回転させ、停止スイッチ９を順次押してリール５ａ、５ｂ、５ｃを停止させることができ、リール５ａ、５ｂ、５ｃに記載された図柄がそろったときに、図柄に応じたメダルの払い出しがなされる。
【００２６】
この遊技動作を実現するために、遊技機１側の制御としては、遊技者の操作に応じてメダルの賭け枚数等を変更表示を行うとともに、図柄のそろった状態（以下、「入賞状態」という）を判定するために表示部に設定される有効ラインを設定する。そして、レバー８の操作入力を検知したことに伴って抽選を行い、同時にリール５ａ、５ｂ、５ｃを一斉に回転させる。
【００２７】
続いて、停止スイッチ９の操作入力の検出に応じて、順次対応するリール５ａ、５ｂ、５ｃを停止させる。停止時には各リール５ａ、５ｂ、５ｃに対して、レバー８の操作入力と同時に行った抽選の当否結果に基づいて、停止スイッチ９の操作入力を検出したタイミングから所定駒数の範囲内で停止するように制御する。
【００２８】
そして、停止させたときのリール５ａ、５ｂ、５ｃの位置データに基づいて、設定した有効ライン上に入賞状態が成立しているかどうかを判定し、成立している場合には、メダル払出装置１６を駆動して、入賞状態に応じたメダルを払い出す制御を行う。
【００２９】
これらの制御は、前述したように、主制御基板１８上のＣＰＵが、種々の信号を取り込み、ＲＯＭに書き込まれたプログラムに基づいて各機器に向かって指令信号を発生することにより実現される。
【００３０】
図３〜図５に示すように、主制御基板１８はケース２５に収納されている。ケース２５は、主制御基板１８の表面側を被覆する第１ケース部材２５ａと、主制御基板１８の裏面側を覆う第２ケース部材２５ｂを有する。第１ケース部材２５ａと第２ケース部材２５ｂは、主制御基板１８を挟むように収納している。ケース２５は、取付板２６を介して筺体２側に固定される。取付板２６は、金属製で、平面視においてほぼ長方形状に形成されている。
【００３１】
第１ケース部材２５ａおよび第２ケース部材２５ｂは、透明または半透明の合成樹脂により成形されている。これによりケース２５は、内部に収納された主制御基板１８を外側から目視で確認できるようになっている。
【００３２】
図５に示すように、第１ケース部材２５ａには、複数の開口部２７が形成されており、この開口部２７から主制御基板１８の基板側接続端子２１が外側に露出するようになっている。
【００３３】
このケース２５には、第１ケース部材２５ａと第２ケース部材２５ｂとを封止する封止手段３０が設けられている。この封止手段３０は、ケース２５が不正に開けられて、主制御基板１８が不正なものに交換されたり、主制御基板１８のＲＯＭのプログラムが不正に改ざんされたりすることを防止するために、ケース２５が開かないように第１ケース部材２５ａと第２ケース部材２５ｂとを連結して結合させたり、または、この結合状態を維持しながらこのケース２５を遊技機１の筺体２側に固定するものである。
【００３４】
さらに、この封止手段３０は、所定の検査時には、ケース２５が筺体２から取り外されることができるとともに第１ケース部材２５ａと第２ケース部材２５ｂとの連結を解除することができるようになっている。封止手段３０は、その封止を解除したときに、解除の痕跡が残るようになっており、これによって、適切に検査がなされたかどうか、または、不正に封止が解除されたか否かを事後的に確認できるようになっている。
【００３５】
図６に示すように、主制御基板１８の基板側接続端子２１には、遊技の進行に関わる信号を通信するための信号線２２が接続されている。信号線２２の端部には、主制御基板１８の基板側接続端子２１にはまる信号線側接続端子３２（信号線側コネクタ）が設けられている。
【００３６】
主制御基板１８の基板側接続端子２１には、この基板側接続端子２１に信号線２２の信号線側接続端子３２がはめ込まれた状態でこの信号線側接続端子３２をロックするロック部材３１が設けられている。ロック部材３１は、その基部側が、基板側接続端子２１のベース部側に支持軸３３を介して連結されている。ロック部材３１は、この支持軸３３まわりに回動自在とされている。ロック部材３１は、この支持軸３３まわりに回動自在とされることで、信号線２２をロックするロック位置と、このロックを解除したロック解除位置とに位置変更可能となっている。ロック部材３１は、基板側接続端子２１の長手方向の端部に設けられている。
【００３７】
ロック部材３１の先端部側には、信号線２２を係止する係止爪３５と、ロック部材３１を操作するときに指を当てる突部３６が形成されている。
【００３８】
図６に示すように、１つの基板側接続端子２１には２つのロック部材３１が互いに対向して設けられている。係止爪３５はロック部材３１がロック位置にあるときに、信号線２２の信号線側接続端子３２の頂面３２ａに当たって信号線２２を係止する。突部３６は、この係止爪３５よりも外側に突出して形成されており、ロック部材３１が信号線２２をロックしているときに、突部３６の突端が主制御基板１８から最も離れて位置するようになっている。
【００３９】
図６に示すように、ロック部材３１の基端部３１ａは、基板側接続端子２１のベース部２１ａの端面２１ｂよりも外側に設けられている。
【００４０】
本発明に係る遊技機１の接続端子固定構造は、主制御基板１８の基板側接続端子２１と信号線側接続端子３２との接続部分３８を被覆する被覆部材４０を有する。この被覆部材４０は透明または半透明の合成樹脂によって成形されている。この被覆部材４０は、主制御基板１８と信号線側接続端子３２との接続部分３８をロック部材３１ごと被覆する。したがって、この被覆部材４０を取り外さない限り、ロック部材３１のロックを解除できず、信号線２２が基板側接続端子２１から抜けはずれないようになっている。
【００４１】
図３、図４、図６に示すように、被覆部材４０は、第１被覆部材４１と第２被覆部材４２とを有する。この被覆部材４０は、第１被覆部材４１と第２被覆部材４２とを、基板側接続端子２１と信号線側接続端子３２との接続部分３８を挟むように結合することで、この接続部分３８に取り付けられる。
【００４２】
第１被覆部材４１は、互いに対向する２つの第１側壁４１ａと、第１側壁４１ａ同士を繋ぐ第２側壁４１ｂと、第１側壁４１ａ、第２側壁４１ｂと繋がる天壁４１ｃを有する。
【００４３】
第１側壁４１ａは、主にロック部材３１を覆うためのものである。第２側壁４１ｂは、主に基板側接続端子２１と信号線側接続端子３２との接続部分３８の側部を覆うためのものである。天壁４１ｃは、主に信号線２２の信号線側接続端子３２を上から覆うためのものである。
【００４４】
第２被覆部材４２は、互いに対向する２つの第１側壁４２ａと、第１側壁４２ａ同士を繋ぐ第２側壁４２ｂ、第１側壁４２ａと、第２側壁４２ｂと繋がる天壁４２ｃを有する。第１側壁４２ａは、第１被覆部材４１の第１側壁４１ａとともに、基板側接続端子２１と信号線側接続端子３２との接続部分３８を覆うためのものである。第２側壁４２ｂは、第１被覆部材４１の第２側壁４２ｂとともに基板側接続端子２１と信号線側接続端子３２との接続部分３８を挟むように、この接続部分３８の側部を覆うためのものである。天壁４２ｃは第１被覆部材４１の天壁４１ｃとともに、基板側接続端子２１に接続された信号線側接続端子３２を上から覆うためのものである。
【００４５】
被覆部材４０には、前記ロック部材３１に係止される係止部４４が設けられている。係止部４４は、第２被覆部材４２の第１側壁４２ａの内面から内方に突出して形成された突起部である。
【００４６】
図４、図７に示すように、第１被覆部材４１には、この第１被覆部材４１と第２被覆部材４２に結合させたときに両者がはずれないようにする突起部４６が設けられている。この突起部４６は、第１被覆部材４１の第２側壁４１ｂの内面に形成されている。
【００４７】
この突起部４６は、図７に示すように、その先端に第２被覆部材４２に係止される係合爪４７を備えている。この突起部４６は、二股状に形成されていて、第１片４８と、第２片４９を有する。係合爪４７は第１片４８と第２片４９のそれぞれに形成されている。
【００４８】
図６に示すように、第２被覆部材４２には、第１被覆部材４１の突起部４６を受ける受け部５１が形成されている。この受け部５１は、第２被覆部材４２の各第１側壁４２ａに設けられている。この受け部５１は、図７に示すように、突起部４６が挿通される挿通孔５２と、突起部４６の係合爪４７を係止する係止面５３を有する。
【００４９】
挿通孔５２は、正面視でほぼ四角形状とされている。この挿通孔５２の幅ａは、第１被覆部材４１の係合爪４７同士の間隔ｂよりも小さくされている。この挿通孔５２は第２被覆部材４２の第１側壁４２ａの内面と外面の間で、第２側壁４２ｂの厚さ方向に沿って形成されている。
【００５０】
図３に示すように、第１被覆部材４１には、この第１被覆部材４１と第２被覆部材４２とを結合させたときに、この結合状態を維持するために位置決めを行う位置決め突起部５５が形成されている。第１被覆部材４１には複数の位置決め突起部５５が形成されている。図６に示すように、第２被覆部材４２には、この位置決め突起部５５が嵌合する嵌合孔５６が形成されている。
【００５１】
第１被覆部材４１の第２側壁４２ｂには第１開口部５７が形成されている。また、第２被覆部材４２の第２側壁４２ｂには、第２開口部５８が形成されている。第１開口部５７は、第１被覆部材４１の長手方向に直交する方向に長く形成されている。第２開口部５８は、第２被覆部材４２の長手方向に直交する方向に長く形成されている。
【００５２】
第１被覆部材４１の天壁４１ｃには、その端部から第２側壁４１ｂに向かって凹んだ第１凹部６０が形成されている。また、第２被覆部材４２の天壁４２ｃには、この第２被覆部材４２の長手方向に直交する方向に凹んだ第２凹部６１が形成されている。
【００５３】
この第１凹部６０と第１被覆部材４１の第１開口部５７は、第１被覆部材４１の長手方向における位置がほぼ一致するように設けられている。これにより、第１被覆部材４１には、この第１開口部５７を境として、第１被覆部材４１の長手方向の端部側と中央部側とを連結する第１連結部６５が形成されている。
【００５４】
同様に、第２被覆部材４２の第２凹部６１と第２開口部５８は、第２被覆部材４２の長手方向における位置がほぼ一致するように設けられている。これにより、第２被覆部材４２には、第２開口部５８を境として、第２被覆部材４２の長手方向の端部側と中央部側とを連結する第２連結部６６が形成されている。
【００５５】
第２被覆部材４２の第２凹部６１は、第２被覆部材４２の長手方向で対向する２つの壁部６４と、壁部６４同士を連結する第３連結部６７を有する。
【００５６】
第１被覆部材４１の第１開口部５７は、第２側壁４１ｂの基端部４１ｄ（第２側壁４１ｂにおいて天壁４１ｃとつながっている端部とは反対側の端部をいう）の近傍まで形成されている。これにより、第１被覆部材４１の基端部４１ｄ側には、この第１開口部５７を境として、第１被覆部材４１の長手方向の端部側の部分と、中央部側の部分とを連結する第４連結部６８が形成されている。
【００５７】
同様に、第２被覆部材４２の第２開口部５８は、第２側壁４２ｂの基端部４２ｄ（第２側壁４２ｂにおいて天壁４２ｃとつながっている端部とは反対側の端部をいう）の近傍まで形成されている。これにより、第２被覆部材４２の基端部４２ｄ側には、この第２開口部５８を境として、第２被覆部材４２の長手方向の端部側の部分と中央部側の部分とを連結する第５連結部６９が形成されている。
【００５８】
第１被覆部材４１の第２側壁４１ｂには、この第１被覆部材４１が第２被覆部材４２と結合したときに、基板側接続端子２１に接続された信号線２２が入る第３凹部６２が形成されている。
【００５９】
第１被覆部材４１、第２被覆部材４２の第１連結部６５、第２連結部６６、第３連結部６７は、基板側接続端子２１と信号線側接続端子３２との接続部分３８を被覆している被覆部材４０を取り外す際に破断される破断部となっている。以下、第１連結部６５、第２連結部６６、第３連結部６７を、共通符号を用いながら、それぞれ第１破断部６５、第２破断部６６、第３破断部６７という。
【００６０】
第１被覆部材４１と第２被覆部材４２とを結合させるには、図３、図６に示すように、第１被覆部材４１を信号線２２の上から基板側接続端子２１と信号線側接続端子３２との接続方向Ａに沿って下ろし、第１被覆部材４１の第３凹部６２に信号線２２を入れるようにして、第１被覆部材４１の基部４１ｄをケース２５の外面（第１ケース部材２５ａの外面）に当てる。なお、本発明において、「基板側接続端子２１と信号線側接続端子３２との接続方向」とは、基板側接続端子２１に信号線接続端子３２を差し込む方向または基板側接続端子２１から信号線接続端子３２を抜き取る方向をいう。
【００６１】
この状態のままで、第２被覆部材４２を、基板側接続端子２１と信号線側接続端子３２との接続方向Ａとは交差した方向Ｂから第１被覆部材４１に当て、互いを結合させる。このとき第１被覆部材４１と第２被覆部材４２とで基板側接続端子２１と信号線側接続端子３２との接続部分３８を挟むようにする。
【００６２】
第１被覆部材４１に第２被覆部材４２を当てたとき、第１被覆部材４１の突起部４６を第２被覆部材４２の挿通孔５２に挿通する。このとき突起部４６は第１片４８と第２片４９との間隔が狭くなるように弾性変形する。突起部４６がさらに挿通孔５２に押し込まれ、係合爪４７が受け部５１の係止面５３を越えたとき、弾性変形していた突起部４６は元の形状に復元する。そして、係合爪４７は、係止面５３に当接することで係止され、これにより第１被覆部材４１は、第２被覆部材４２からはずれないように結合される（図７参照）。
【００６３】
第１被覆部材４１の位置決め突起部５５は、第１被覆部材４１の突起部４６が第２被覆部材４２の挿通孔５２に挿通されると同時に、第２被覆部材４２の嵌合孔５６に嵌る。
【００６４】
第１被覆部材４１の突起部４６の係合爪４７が第２被覆部材４２の係止面５３に係止され、第１被覆部材４１の位置決め突起部５５が第２被覆部材４２の嵌合孔５６に嵌ることで、第１被覆部材４１と第２被覆部材４２は、結合された後に互いの位置がずれることがなく、確実かつ強固に結合される。
【００６５】
第１被覆部材４１と第２被覆部材４２が結合された状態では、第２被覆部材４２の係止部４４がロック部材３１の基端部３１ａに係止されている。これにより、被覆部材４０は、基板側接続端子２１の信号線側接続端子３２との接続部分３８から抜けはずれないようになっている。
【００６６】
第１被覆部材４１と第２被覆部材４２とが結合した状態では、第１被覆部材４１の第１破断部６５と、第２被覆部材４２の第３破断部６７とが当接して１つの破断部として構成される。
【００６７】
第１被覆部材４１と第２被覆部４２とが結合した状態では、第１被覆部材４１の第１破断部６５、第２破断部６６、第３破断部６７は、ロック部材３１の突部３６の外側に位置している。
【００６８】
基板側接続端子２１と信号線側接続端子３２との接続部分３８から被覆部材４０を取り外すには、第１破断部６５、第２破断部６６、第３破断部６７を、例えばニッパ等の工具によって破断（切断）する。
【００６９】
第１破断部６５、第２破断部６６、第３破断部６７が破断されると、被覆部材４０は、その長手方向の端部が、第４連結部６８、第５連結部６９のみで連結された状態となる。
【００７０】
このとき、図８に示すように、被覆部材４０の端部をロック部材３１から離れるように動かすと、ロック部材３１の基端部３１ａに係止されていた係止部４４がこの基端部３１ａから離れる。
【００７１】
これによって、被覆部材４０を基板側接続端子２１と信号線側接続端子３２との接続方向Ａに沿って取り外すことができる。
【００７２】
以上説明した本発明の接続端子固定構造および遊技機によれば、被覆部材４０は、基板側接続端子２１と信号線側接続端子３２との接続部分３８に取り付けられているときは、係止部４４がロック部材３１の係止部４４に係止されて抜けはずれないようになっているため、信号線２２を基板側接続端子２１から取り外すことができない。したがって、信号線２２が取り外されて、他の信号線２２が接続され、不正な信号が主制御基板１８に入力されるという不正行為を確実に防止できる。
【００７３】
しかも、メンテナンスの際に基板側接続端子２１と信号線側接続端子３２との接続部分３８から被覆部材４０を取り外すときには、第１破断部６５、第２破断部６６、第３破断部６７を破断させることによって、この被覆部材４０を容易に取り外すことができ、非常に作業性の良いものになる。
【００７４】
また、被覆部材４０が基板側接続端子２１と信号線側接続端子３２との接続部分３８に取り付けられたとき、第１破断部６５、第２破断部６６、第３破断部６７は、ロック部材３１の突部３６の外側に位置しているため、主制御基板１８、基板側接続端子２１、信号線２２から離れている。したがって、ニッパ等の工具によってこれらの破断部６６、６７、６８を破断する際に、基板側接続端子２１、信号線２２等を傷つけにくい構成になっている。
【００７５】
さらに、被覆部材４０を第１ケース部材２５ａに形成された開口部２７よりも大きく形成すれば、この被覆部材４０は、基板側接続端子２１と信号線側接続端子３２との接続部分３８を被覆しながら、第１ケース部材２５ａが第２ケース部材２５ａから取り外されないように、この第１ケース部材２５ａと係止できる。これによって、本発明は、ケース２５が開かれて主制御基板１８が不正に交換されるという行為をも防止できる。
【００７６】
また、被覆部材４０は、第１被覆部材４１と第２被覆部材４２を、基板側接続端子２１と信号線側接続端子３２との接続方向Ａと交差する方向で結合させることから、結合の際に基板側接続端子２１や信号線２２が邪魔にならず、したがって、被覆部材４０を基板側接続端子２１と信号線側接続端子３２との接続部分３８に容易に取り付けることができる。
【００７７】
また、被覆部材４０は、第１ケース部材２５ａにおいて対応して設けられる開口部２７よりも、長手方向あるいは厚み方向の大きさが大きくなるように形成されている。つまり、被覆部材４０は、開口部２７を通って主制御基板１８側へは変位できない大きさに形成されている。
【００７８】
このことにより、被覆部材４０が基板側接続端子２１と信号線側接続端子３２との接続部分３８に取り付けられた状態においては、主制御基板１８は基板側接続端子２１を介して被覆部材４０と一体化しているため、第１ケース部材２５ａから離脱できなくなっている。
【００７９】
また、主制御基板１８はケース２５内で、第２ケース部材２５ｂに固定されている。このことにより、仮にケースの封止が不正に解除された場合にも、第１ケース部材２５ａと第２ケース部材２５ｂは、被覆部材４０および基板側接続端子２１、主制御基板１８と第２ケース部材２５ｂとの固定部分を介して一体化しているため、被覆部材４０を破壊しない限りケース２５を開けることはできず、主制御基板１８の実装面に設けられたＲＯＭ等に触れることはできない。
【００８０】
このため、被覆部材４０が破壊されて不正行為が行われた場合においては、被覆部材４０が破壊されて存在しないという事実をもって、ケース２５が不正に開けられた可能性を視覚的に明確に表示することができる。
【００８１】
図９〜図１２は、本発明の第２実施形態を示している。上述した第１実施形態では、主制御基板１８の基板側接続端子２１と信号線側接続端子３２との接続部分３８に被覆部材４０が設けられていたが、本実施形態では、被覆部材４０は、扉中継基板２３に設けられた基板側接続端子２１と信号線側接続端子３２との接続部分３８に設けられている。
【００８２】
扉中継基板２３には、基板側接続端子２１、ロック部材３１が設けられ、基板側接続端子２１には、信号線２２が信号線側接続端子３２を介して接続されている。この基板側接続端子２１は、遊技の進行に関わる操作手段（レバー８、ベットスイッチ１０、停止スイッチ９等）の信号を主制御基板１８に対して出力するためのものである。
【００８３】
この被覆部材４０は、第１実施形態と同様に、第１被覆部材４１、第２被覆部材４２とを有する。
【００８４】
第２実施形態に係る第１被覆部材４１は、第２被覆部材４２に取り付けられる２つの第１取付部７１と、第１取付部７１同士を連結する連結板部７２を有する。
【００８５】
第１取付部７１には、第１被覆部材４１が第２被覆部材４２と結合するときに、第２被覆部材４２に対向する第１壁部７６が形成されている。
【００８６】
第１取付部７１の第１壁部７６には、第１実施形態と同じ構成の突起部４６が設けられている。突起部４６は、第１壁部７６の厚さ方向に沿って、第１被覆部材４１の内方に突出して形成されている。また、この第１壁部７６には、第１実施形態と同様な位置決め突起部５５が設けられている。
【００８７】
第１被覆部材４１には、ロック部材３１に係止される係止部４４が形成されている。この係止部４４は、第１取付部７１の第１壁部７６から突出して形成された突起部である。この係止部４４は、突起部４６と同じ方向に突出して形成されている。この係止部４４の先端には、鉤状の係止爪７８が形成されている。各第１取付部７１に形成された係止爪７８は、互いに対向するように形成されている。係止爪７８は、一方の第１取付部７１から他方の第１取付部７１に向かう方向に向いて形成されている。
【００８８】
第１取付部７１の第１壁部７６には、突起部４６が形成された部分に対応する位置に開口部８０が形成されている。この第１壁部７６には２つの開口部８０が形成されている。図１１に示すように、各開口部８０は、突起部４６の基部を挟むように形成されている。これにより第１壁部７６には、開口部８０間を連結する連結部８１が形成されている。この連結部８１は、基板側接続端子２１と信号線側接続端子３２との接続部分３８に取り付けられた被覆部材４０を取り外すときに破断される破断部８１となっている（以下、連結部と破断部に共通符号８１を用いる）。
【００８９】
連結板部７２は断面視Ｌ字状に形成されている。連結板部７２は、基板側接続端子２１と信号線側接続端子３２との接続部分３８の側部を覆う第１板部７２ａと、信号線２２の信号線側接続端子３２を覆う第２板部７２ｂを有する。第１板部７２ａと第２板部７２ｂとがなす角度はほぼ９０°である。
【００９０】
第２被覆部材４２は、互いに対向する２つの第１側壁４２ａと、第１側壁４２ａ同士を繋ぐ第２側壁４２ｂと、第１側壁４２ａ、第２側壁４２ｂと繋がる天壁４２ｃとを有する。
【００９１】
第２被覆部材４２には、第１被覆部材４１に取り付けられる２つの第２取付部８４が形成されている。この第２取付部８４は、第１被覆部材４１と第２被覆部材４２とを結合したときに、第１被覆部材４１に対向する第２壁部８５を有する。この第２壁部８５には、第１被覆部材４１の突起部４６が挿通される挿通孔５２と、第１被覆部材４１の位置決め突起部５５が嵌る嵌合孔５６が形成されている。
【００９２】
被覆部材４０を基板側接続端子２１と信号線側接続端子３２との接続部分３８に取り付けるには、基板側接続端子２１と信号線側接続端子３２との接続方向Ａ（信号線２２を基板側接続端子２１から抜き取る方向）に沿って、第２被覆部材４２を基板側接続端子２１と信号線側接続端子３２との接続部分３８に上から当てる。
【００９３】
そして、基板側接続端子２１と信号線側接続端子３２との接続方向Ａと交差した方向Ｂに沿って第１被覆部材４１を動かし、第２被覆部材４２に合わせる。このとき、基板側接続端子２１と信号線側接続端子３２との接続部分３８は、第１被覆部材４１と第２被覆部材４２に挟まれる。
【００９４】
第１被覆部材４１と第２被覆部材４２を合わせるとき、第１被覆部材４１の突起部４６を第２被覆部材４２の挿通孔５２に挿通する。このとき、突起部４６は第１片４８と第２片４９との間隔が狭くなるように弾性変形する。突起部４６がさらに挿通孔５２に押し込まれ、係合爪４７が挿通孔５２を出て第２壁部８５の裏側にまわったとき、弾性変形していた突起部４６は元の形状に復元する。そして、係合爪４７は、第２壁部８５の裏面（係止面５３）に当接することで係止され、これにより第１被覆部材４１は、第２被覆部材４２からはずれないように結合される。
【００９５】
第１被覆部材４１の位置決め突起部５５は、第１被覆部材４１の突起部４６が第２被覆部材４２の挿通孔５２に挿通されると同時に、第２被覆部材４２の嵌合孔５６に嵌る。
【００９６】
第１被覆部材４１と第２被覆部材４２が結合されたとき、係止部４４の係止爪７８がロック部材３１の側部に掛かって係止される。これにより、被覆部材４０はロック部材３１に係止された状態で基板側接続端子２１と信号線側接続端子３２との接続部分３８から抜けはずれないように取り付けられる。
【００９７】
被覆部材４０を基板側接続端子２１と信号線側接続端子３２との接続部分３８から取り外すには、例えばニッパ等の工具によって、第１被覆部材４１に形成された破断部８１を破断する。このとき、突起部４６が第１壁部７６から離れるように、破断部８１を破断させる。
【００９８】
そうすると、第１被覆部材４１と第２被覆部材４２との結合が解除され、第１被覆部材４１、第２被覆部材４２を基板側接続端子２１と信号線側接続端子３２との接続方向Ａに沿って抜き取ることができるようになる。以上により、被覆部材４０は、基板側接続端子２１と信号線側接続端子３２との接続部分３８から取り外される。
【００９９】
第２実施形態のその他の構成は第１実施形態と同様の構成である。第２実施形態が第１実施形態と共通する部分は共通符号を付して説明を省略する。第２実施形態においても、第１実施形態と同様の作用効果を奏する。
【０１００】
上記した第１実施形態においては、被覆部材４０が主制御基板１８上の基板側接続端子２１と信号線側接続端子３２との接続部分３８に通常状態で取り外し不能になっていることで、主制御基板１８に対する周辺装置からの入力を擬装することを防止できる。一方、第２実施形態では、遊技進行に関わる操作手段からの信号を集合させて主制御基板１８に送信するために扉中継基板２３側の基板側接続端子２１、信号線側接続端子３２からの出力を擬装することを防止できる。このことから、第１実施形態と第２実施形態の接続端子固定構造を共に用いた遊技機１においては、主制御基板１８に不正な信号を入力する不正行為をより確実に防止できる。
【０１０１】
図１３は本発明の第３実施形態を示している。第３実施形態では、破断部の構成が第１実施形態と異なる。
【０１０２】
この第３実施形態では、第１被覆部材４１、第２被覆部材４２の第２側壁４１ｂ、４２ｂおよび天壁４１ｃ、４２ｃに複数の開口部９０が形成されている。複数の開口部９０は、第１被覆部材４１または第２被覆部材４２の長手方向にほぼ直交する方向に沿って、第２側壁４１ｂ、４２ｂから天壁４１ｃ、４２ｃにわたって連続状に２列に並んで形成されている。各開口部９０の間には、第１被覆部材４１または第２被覆部材４２の長手方向の一方側の部分と他方側の部分とを連結する連結部９２が形成されている。第１被覆部材４１、第２被覆部材４２には、複数の連結部９２が形成されている。
【０１０３】
連結部９２は、被覆部材４０を基板側接続端子２１と信号線側接続端子３２との接続部分３８から取り外すときに破断される破断部９２となっている（以下、連結部と破断部に共通符号９２を用いる）。第３実施形態における破断部９６は、第１被覆部材４１または第２被覆部材４２の長手方向のほぼ中央部に設けられている。
【０１０４】
第１被覆部材４１、第２被覆部材４２には、破断部９２を破断させるためのリングピン９１が設けられている。リングピン９１には、針金、ワイヤー等の線材が連結されている。線材は、連続状にもうけられた開口部９０に一致するように、各第２側壁４１ｂ、４２ｂ、各天壁４１ｃ、４２ｃ内に埋設されている。
【０１０５】
基板側接続端子２１と信号線側接続端子３２との接続部分３８に取り付けられた被覆部材４０を取り外すには、リングピン９１に指をかけて引っ張り、開口部９０間の破断部９２を線材によって破断させる。
【０１０６】
そうすると、第１被覆部材４１、第２被覆部材４２は、長手方向の一方側の部分と、他方側の部分とに分断され、これによって、第２被覆部材４２に形成された係止部４４をロック部材３１の基端部３１ａから離すことができるようになる。以上により、被覆部材４０は、基板側接続端子２１と信号線側接続端子３２との接続部分３８から取り外される。
【０１０７】
第３実施形態のその他の構成は、第１実施形態と同じである。第３実施形態においても第１実施形態と同様の作用効果を奏する。
【０１０８】
図１４は本発明の第４実施形態を示している。第４実施形態では、破断部の構成が第１実施形態と異なる。
【０１０９】
この第４実施形態では、第１被覆部材４１、第２被覆部材４２の第２側壁４１ｂ、４２ｂおよび天壁４１ｃ、４２ｃに複数の開口部９５が形成されている。複数の開口部９５は、第１被覆部材４１または第２被覆部材４２の長手方向にほぼ直交する方向に沿って、第２側壁４１ｂ、４２ｂから天壁４１ｃ、４２ｃにわたって連続状に１列に並んで形成されている。
【０１１０】
各開口部９５の間には、第１被覆部材４１または第２被覆部材４２の長手方向の一方側の部分と他方側の部分とを連結する連結部９６が形成されている。第１被覆部材４１、第２被覆部材４２には、複数の連結部９６が形成されている。この連結部９６は、基板側接続端子２１と信号線側接続端子３２との接続部分３８に取り付けられた被覆部材４０を取り外すときに破断される破断部９６となっている（以下、連結部と破断部に共通符号９６を用いる）。破断部９６は、第１被覆部材４１または第２被覆部材４２の長手方向のほぼ中央部に設けられている。
【０１１１】
第１被覆部材４１または第２被覆部材４２の第２側壁４１ｂ、４２ｂには、その基端部４１ｄ、４１ｄから天壁４１ｃ、４２ｃに向かって凹んだ凹部９７が形成されている。この凹部９７は、第１被覆部材４１または第２被覆部材４２の長手方向において、１列に並んで形成された開口部９５の位置とほぼ一致して形成されている。
【０１１２】
この凹部９７が形成されていることにより、最も基端部寄りに形成された破断部９６は、信号線２２から離れて形成されている。これにより、信号線２２を傷つけないように、破断部９６を破断できるようになっている。
【０１１３】
被覆部材４０を基板側接続端子２１と信号線側接続端子３２との接続部分３８から取り外すには、ニッパ等の工具によって、第１被覆部材４１および第２被覆部材４２に形成された破断部９６を破断する。そうすると、第１被覆部材４１、第２被覆部材４２は、その長手方向の一方側の部分と他方側の部分とが分断され、これによって、第２被覆部材４２の係止部４４をロック部材３１の基端部から離すことができる。以上によって、被覆部材４０は基板側接続端子２１と信号線側接続端子３２との接続部分３８から取り外すことができるようになる。
【０１１４】
第４実施形態のその他の構成は、第１実施形態と同じである。第４実施形態においても第１実施形態と同様の作用効果を奏する。
【０１１５】
図１５〜図１８は、本発明に係る遊技機の接続端子固定構造の付属品を示している。この付属品は、例えば、扉中継基板２３に形成された、停止スイッチ９に係る基板側接続端子２１を被覆する被覆部材１０１として用いられる。
【０１１６】
この付属品に係る被覆部材１０１は、第１被覆部材１０２と第２被覆部材１０３を有する。
【０１１７】
図１５に示すように、この被覆部材１０１は、第１被覆部材１０２と第２被覆部材１０３によって基板側接続端子２１と信号線側接続端子３２との接続部分３８を挟むように互いに結合することで、この接続部分３８に取り付けられる。
【０１１８】
第２被覆部材１０３には、基板側接続端子２１に係止される係止部１０５が設けられている。この係止部１０５は、第１被覆部材１０２と第２被覆部材１０３を結合させたときに、基板側接続端子２１に形成された係止凹部１０６に嵌って係止される。
【０１１９】
図１７、図１８に示すように、第１被覆部材１０２には、この第１被覆部材１０２と第２被覆部材１０３に結合させたときに両者がはずれないようにする突起部１０８が設けられている。この突起部１０８は、その先端に第２被覆部材１０３に係止される係合爪１０９を備えている。
【０１２０】
図１６、図１８に示すように、第２被覆部材１０３には、第１被覆部材１０２の突起部１０８を受ける受け部１１１が形成されている。この受け部１１１は、突起部１０８が挿通される挿通凹部１１２と、この挿通凹部１１２の奥に形成されていて突起部１０８の係合爪１０９を係止する係止面１１３を有する。
【０１２１】
この付属品に係る被覆部材１０１を基板側接続端子２１と信号線側接続端子３２との接続部分３８に取り付けるには、第２被覆部材１０３を基板側接続端子２１と信号線側接続端子３２との接続方向Ａに交差する方向Ｂから、第２被覆部材１０３を基板側接続端子２１に当てる。このとき、第２被覆部材１０３の係止部１０５を基板側接続端子２１の係止凹部１０６に嵌める。
【０１２２】
次に、第１被覆部材１０２を、基板側接続端子２１と信号線側接続端子３２との接続方向Ａ（信号線２２を基板側接続端子２１に差し込む方向）に沿って動かし、第２被覆部材１０３に合わせる。
【０１２３】
このとき、第１被覆部材１０２の突起部１０８を第２被覆部材１０３の挿通凹部１１２に挿通する。第１被覆部材１０２の突起部１０８を第２被覆部材１０３の挿通凹部１１２に挿通し、突起部１０８の係合爪１０９を挿通凹部１１２内に形成された係止面１１３に当接させたとき、第１被覆部材１０２は、第２被覆部材１０３からはずれないようにこの第２被覆部材１０３と結合する。
【０１２４】
上記の構成の付属品は、例えば、停止スイッチ９に係る基板側接続端子２１と信号線側接続端子３２との接続部分３８に取り付けられたとき、第２被覆部材１０３の係止部１０５が基板側接続端子２１の係止凹部１０６に嵌って係止されるので、この付属品を破壊しない限り、取り外すことができなくなる。
【０１２５】
これによって、信号線２２を基板側接続端子２１から取り外して、他の信号線２２を接続し、不正な信号を他の基板に送信するという行為を確実に防止できる。
【０１２６】
上記の構成の付属品は、遊技の進行に関わる操作手段から扉中継基板２３に対する入力信号のすくなくとも１つ（この場合は停止スイッチ９）を不正に入力される防止する目的で設けられる。
【０１２７】
このため、付属品の取り付け、および前述の第１実施形態、第２実施形態の固定構造を全て実施した状態では、停止スイッチ９からの信号を不正に扉中継基板２３に入力することはできず、また、この信号を扉中継基板２３から不正に主制御基板１８に出力することもできない。その上、主制御基板１８の基板側接続端子２１から主制御基板１８に対してこの信号を不正に入力することもできない。
【０１２８】
このため、停止スイッチ９からの信号を擬装することは不可能であるため、確実に遊技の進行に関する不正行為を防ぐことが可能となる。
【０１２９】
なお、本発明は上記の実施の形態に限らず、以下のように種々の変更、変形が可能である。
【０１３０】
例えば、係止部４４は、第２被覆部材４２に設けられていたが、これに限らず、第１被覆部材４１に設けられていてもよいし、第１被覆部材４１と第２被覆部材４２の両方に設けられていてもよい。
【０１３１】
上記の実施形態では、被覆部材４０は、主制御基板１８、扉中継基板２３に設けられていたが、本発明はこれに限定されず、例えば副制御基板その他の種々の基板に設けることも可能である。
【０１３２】
第１実施形態における第２被覆部材４２の第２破断部６６は省略可能である。
【０１３３】
信号線２２は、例えば、主制御基板１８と扉中継基板２３を接続するものであるが、他の種々の基板同士を接続する場合にも用いられる。被覆部材４０は他の基板の基板側接続端子２１と信号線側接続端子３２との接続部分３８にも取り付け可能である。
【図面の簡単な説明】
【０１３４】
【図１】本発明の第１実施形態を示す遊技機の斜視図である。
【図２】扉が開かれた状態の遊技機の斜視図である。
【図３】接続端子に被覆部材が取り付けられる前の主制御基板のケースと被覆部材を示す斜視図である。
【図４】基板側接続端子と信号線側接続端子との接続部分に被覆部材が取り付けられた状態における主制御基板のケースと被覆部材の斜視図である。
【図５】ケースの分解斜視図である。
【図６】被覆部材、接続端子、信号線を示す斜視図である。
【図７】第１被覆部材の突起部が第２被覆部材の係止面に係止された状態を示す断面図である。
【図８】破断部が破断された状態を示す斜視図である。
【図９】本発明の第２実施形態を示しており、基板側接続端子と信号線側接続端子との接続部分に被覆部材が取り付けられる前の斜視図である。
【図１０】基板側接続端子と信号線側接続端子との接続部分に被覆部材が取り付けられた状態を示す斜視図である。
【図１１】被覆部材、接続端子、信号線を示す斜視図である。
【図１２】第１被覆部材の突起部が第２被覆部材の係止面に係止された状態を示す断面図である。
【図１３】本発明の第３実施形態を示し、被覆部材、接続端子、信号線を示す斜視図である。
【図１４】本発明の第４実施形態を示し、被覆部材、接続端子、信号線を示す斜視図である。
【図１５】本発明の付属品が基板に取り付けられる前の状態を示す斜視図である。
【図１６】本発明の付属品が基板に取り付けられた状態を示す斜視図である。
【図１７】接続端子、付属品を示す斜視図である。
【図１８】付属品の第１被覆部材の突起部が、付属品の第２被覆部材に係止された状態を示す断面図である。
【符号の説明】
【０１３５】
１      遊技機
２１      基板側接続端子
２２      信号線
３１      ロック部材
３２      信号線側接続端子
３８      基板側接続端子と信号線側接続端子との接続部分
４０      被覆部材
４１      第１被覆部材
４２      第２被覆部材
４４      係止部
６５      第１破断部
６６      第２破断部
６７      第３破断部
８１      破断部
９６      破断部
【図１】
2008173325.tif 000003
【図２】
2008173325.tif 000004
【図３】
2008173325.tif 000005
【図４】
2008173325.tif 000006
【図５】
2008173325.tif 000007
【図６】
2008173325.tif 000008
【図７】
2008173325.tif 000009
【図８】
2008173325.tif 000010
【図９】
2008173325.tif 000011
【図１０】
2008173325.tif 000012
【図１１】
2008173325.tif 000013
【図１２】
2008173325.tif 000014
【図１３】
2008173325.tif 000015
【図１４】
2008173325.tif 000016
【図１５】
2008173325.tif 000017
【図１６】
2008173325.tif 000018
【図１７】
2008173325.tif 000019
【図１８】
2008173325.tif 000020